(57)【特許請求の範囲】
【請求項１】
カバー体の操作面の内容物放出操作にともなうカム作用により、後方向へ移動するための被駆動片部を後端側に備えたシャットオフ部材が外部空間域への吐出口をそれまでの静止モードの閉状態から開状態にシフトさせ、内容物がステムを介して前記吐出口から外部空間域へ放出されえるようにしたシャットオフ機構において、
前記カム作用は、
前記カバー体の操作面と下方向に常時連動し、前記シャットオフ部材をその後端側露出状態で前後方向に収容して案内するシリンダの後端側に設けた第一のカム作用部の、
前記ステムと一体化したステム側部材の上端側に前記第一のカム作用部と当接する態様で設けた、第二のカム作用部に対する移動に基づき、
前記静止モードのとき、前方に弾性力で付勢された前記シャットオフ部材が前記吐出口を前記閉状態に保持し、
かつ、前記内容物放出操作にともない前記カバー体の操作面と連動する前記シリンダの前記第一のカム作用部が前記被駆動片部を前記弾性力に抗する形で後方に駆動して前記吐出口を前記開状態に保持するものであり、
前記第一のカム作用部は、
片持ち態様で上下方向に延びる回動テコ部材からなり、
その回動中心となる支点部分と、
前記第二のカム作用部のカム面と当接する力点部分と、
前記支点部分からみて前記力点部分と同じ側に形成されて前記シャットオフ部材を前記後方向へ駆動する作用点部分と、を有し、
前記作用点部分が、前記シャットオフ部材への駆動力の主たる作用方向が前記後方向となる形で配設されている、
ことを特徴とするシャットオフ機構。
【請求項２】
前記第一のカム作用部は、
カムフォロワ部であり、
前記第二のカム作用部は、
カム面である、
ことを特徴とする請求項１記載のシャットオフ機構。
【請求項３】
前記回動テコ部材は、
前記シリンダと一体成形されている、
ことを特徴とする請求項１または請求項２記載のシャットオフ機構。
【請求項４】
前記支点部分は、
薄肉ヒンジ部である、
ことを特徴とする請求項１乃至請求項３のいずれかに記載のシャットオフ機構。
【請求項５】
前記回動テコ部材は、
前記支点部分から前記力点部分までの腕の長さと、前記支点部分から前記作用点部分までの腕の長さとが同様の形状に設定されている、
ことを特徴とする請求項１乃至請求項４のいずれかに記載のシャットオフ機構。
【請求項６】
請求項１乃至請求項５のいずれかに記載のシャットオフ機構を備え、かつ、内容物を収容した、
ことを特徴とするポンプ式製品。
【請求項７】
請求項１乃至請求項５のいずれかに記載のシャットオフ機構を備え、かつ、噴射用ガスおよび内容物を収容した、
ことを特徴とするエアゾール式製品。
【発明の詳細な説明】
【技術分野】
【０００１】
本発明は、操作部の内容物放出操作にともなうカム作用により例えば後方へ移動するシャットオフ部材が内容物吐出口をそれまでの閉状態から開状態にシフトさせて内容物が外部空間域へ放出されえるようにしたシャットオフ機構に関する。なお、「シャットオフ部材」の語は必要に応じて後述の被駆動シャフトの意でも用いる。
【０００２】
換言すれば、内容物放出操作終了後は吐出口を積極的に閉じて、そこからのポンプ式容器のたれ（固化）やエアゾール式容器のアウタードローなどを防止するシャットオフ機構に関する。このシャットオフ機構はポンプ式製品およびエアゾール式製品のそれぞれに適用される。
【０００３】
シャットオフ機構の内容物放出操作の初期段階においては、内容物放出動作をステムなどが移動せずに、シャットオフ部材を吐出口から離間させることが必要である。このステム停止状態でシャットオフ部材を移動させるための構成要素としてテコ作用のカムフォロワ部が用いられる。
【０００４】
本発明は、このカムフォロワ部についての新たな提案であり、いわゆる「第２種テコ」または「第３種テコ」態様の回動テコ部材を用いたシャットオフ機構に関する。
【０００５】
本明細書では前後上下の位置関係について、ノズルの吐出口側を「前」、それとは反対の例えば回動テコ部材・カムフォロワ部の側を「後」とそれぞれ記し、かつ、操作面側を「上」、それとは反対のステム側を「下」とそれぞれ記す。また、図１および図３の紙面と直交する方向を「左右」と記す。
【０００６】
シャットオフ機構の適用対象内容物には、例えば液状またはクリーム状の石けん，シャンプー，リンス，化粧品，乳液や、発泡性のシェービングフォーム，ヘアスタイリングフォームをはじめとして、後述のように各種のものがある。
【背景技術】
【０００７】
内容物のたれ防止やアウタードロー対策を図るシャットオフ機構は例えば下記の特許文献１で開示されている。
【０００８】
このシャットオフ機構も、カムフォロワ部を用いて内容物放出操作初期段階のときシャットオフ部材を後退させて吐出口を開状態に設定し、その後の内容物の外部空間域への放出動作を担保している。カムフォロワ部には、水平状態で配設された「第１種テコ」態様の回動テコ部材を用いている。
【先行技術文献】
【特許文献】
【０００９】
【特許文献１】特開２００９−８２８０２号公報
【発明の概要】
【発明が解決しようとする課題】
【００１０】
従来の上記シャットオフ機構は、カムフォロワ部としていわゆる「第１種テコ」の回動テコ部材を用いているので、支点を挟んだ力点および作用点それぞれの腕部分にはいわば相手側に向かう回動外力が作用する。力点腕部分にはカム面からの図２時計方向の駆動力が、また作用点腕部分にはシャットオフ部材からの図２反時計方向への反作用力がそれぞれ加わる。
【００１１】
そのため、従来のシャットオフ機構の回動テコ部材は、その支点両側のそれぞれにおけるこれら逆方向の回動外力により損傷しかねないという問題点があった。
【００１２】
また、放出操作初期段階におけるこのテコ部材の回動にともなって移動するシャットオフ部材が、その本来のシフト方向である後方そのものからずれやすく、移動案内部などとの摩擦抵抗などが増加しやすい。
【００１３】
そのため、放出操作初期段階に後方に移動するシャットオフ部材の作動荷重が大きくなり、シャットオフ部材自体もよじれやすいという問題点があった。
【００１４】
本発明では、カムフォロワ部として、片持ち態様で上下方向に延びる「第２種テコ」または「第３種テコ」態様の回動テコ部材を用いる。また、この回動テコ部材の支点部分から力点部分までの腕の長さと、支点部分から作用点部分までの腕の長さとを略同一に設定している。
【００１５】
この回動テコ部材の使用により、
(11)シャットオフ機構のカムフォロワ部としての回動テコ部材を上記回動外力が生じにくい態様のものにして、回動テコ部材自体の強度維持化を図り、
(12)後方に移動するシャットオフ部材の作動荷重の減少化を図り、
(13)シャットオフ部材自体のよじれ発生の抑止化を図る、
ことを目的とする。
【課題を解決するための手段】
【００１６】
本発明は、以上の課題を次のシャットオフ機構を用いることにより解決する。
（１）カバー体の操作面（例えば後述のカバー体１の操作面１ａ）の内容物放出操作にともなうカム作用により、後方向へ移動するための被駆動片部（例えば後述の被駆動片部５ａ）を後端側に備えたシャットオフ部材（例えば後述のシャットオフ部材３）が外部空間域への吐出口（例えば後述の吐出口２ａ）をそれまでの静止モードの閉状態から開状態にシフトさせ、内容物がステム（例えば後述のステム９）を介して前記吐出口から外部空間域へ放出されえるようにしたシャットオフ機構において、
前記カム作用は、
前記カバー体の操作面と下方向に常時連動し、前記シャットオフ部材をその後端側露出状態で前後方向に収容して案内するシリンダ（例えば後述のシリンダ６）の後端側に設けた第一のカム作用部（例えば後述の回動テコ部材６ｃ）の、
前記ステムと一体化したステム側部材（例えば後述のシリンダテーブル７，ステム９）の上端側に前記第一のカム作用部と当接する態様で設けた、第二のカム作用部（例えば後述の傾斜カム面７ｃ）に対する移動に基づき、
前記静止モードのとき、前方に弾性力で付勢された前記シャットオフ部材が前記吐出口を前記閉状態に保持し、
かつ、前記内容物放出操作にともない前記カバー体の操作面と連動する前記シリンダの前記第一のカム作用部が前記被駆動片部を前記弾性力に抗する形で後方に駆動して前記吐出口を前記開状態に保持するものであり、
前記第一のカム作用部は、
片持ち態様で上下方向に延びる回動テコ部材からなり、
その回動中心となる支点部分（例えば後述の薄肉ヒンジ部６ｄ）と、
前記第二のカム作用部のカム面と当接する力点部分（例えば後述のカム倣い縁部分６ｆ）と、
前記支点部分からみて前記力点部分と同じ側に形成されて前記シャットオフ部材を前記後方向へ駆動する作用点部分（例えば後述の駆動作用面６ｅ）と、を有し、
前記作用点部分が、前記シャットオフ部材への駆動力の主たる作用方向が前記後方向となるように配設された、
構成態様のものを用いる。
（２）上記（１）において、
前記第一のカム作用部は、
カムフォロワ部であり、
前記第二のカム作用部は、
カム面である、
構成態様のものを用いる。
（３）上記（１），（２）において、
前記回動テコ部材は、
前記シリンダと一体成形された、
構成態様のものを用いる。
（４）上記（１），（２），（３）において、
前記支点部分は、
薄肉ヒンジ部である、
構成態様のものを用いる。
（５）上記（１），（２），（３），（４）において、
前記回動テコ部材は、
前記支点部分から前記力点部分までの腕の長さと、前記支点部分から前記作用点部分までの腕の長さとが同様となる形状に設定された、
構成態様のものを用いる。
【００１７】
本発明は、このような構成のシャットオフ機構ならびにこのシャットオフ機構を備えて後述の内容物収容のポンプ式製品および後述の内容物，噴射剤収容のエアゾール式製品を対象としている。
【発明の効果】
【００１８】
本発明は以上の課題解決手段をとることにより、
(21)回動テコ部材自体の強度維持化を図り、
(22)後方に移動するシャットオフ部材の作動荷重の減少化を図り、
(23)シャットオフ部材自体のよじれ発生の抑止化を図る、
ことができる。
【図面の簡単な説明】
【００１９】
【図１】シャットオフ機構の静止モードの断面状態を示す説明図である。
【図２】図１の静止モードの斜視状態を示す説明図である。
【図３】操作面の押下げ操作にともない下円筒状部がシリンダテーブルの上面に当接した後のステム下動時の断面状態を示す説明図である。
【図４】図３のステム下動時の斜視状態を示す説明図である。
【発明を実施するための最良の形態】
【００２０】
以下、図１〜図４を用いて本発明を実施するための最良の形態を説明する。
【００２１】
図１〜図４で用いるアルファベット付き参照番号の構成要素（例えば操作面１ａ）は原則として、当該参照番号の数字部分の構成要素（例えばカバー体１）の一部であることを示している。
【００２２】
図１〜図４において、
１は操作ボタンとして作用する下開口鞘状のカバー体，
１ａは利用者が内容物放出操作の対象とする操作面，
１ｂはカバー体１の前面上部分に形成されて後述のノズル２が取り付けられる開口部，
１ｃはカバー体１の下側内周面の周方向に形成されて後述のシリンダテーブル７およびこれと嵌合状態のステム９から前記カバー体が図示上方に抜けるのを阻止するための計二個の円弧凸状部，
をそれぞれ示している。
【００２３】
また、
２は開口部１ｂに取り付けられた内容物放出用のノズル，
２ａはノズル２の先端部分に形成されてシャットオフ動作の開閉対象となる吐出口，
をそれぞれ示している。
【００２４】
また、
３は後述の弁作用部４および被駆動シャフト５からなり、操作面１ａへの押下げ操作にともなう後述の傾斜カム面７ｃとのカム作用によりそれまでの吐出口２ａとの当接位置から後退して、この吐出口を閉状態から開状態にシフトさせるシャットオフ部材，
をそれぞれ示している。
【００２５】
また、
４はシャットオフ部材３の前側部分であって吐出口２ａに対する鞘状の弁作用部，
４ａは弁作用部４の後端側外周面に形成されて後述のシリンダ６の内円筒状部６ｍの内周面に案内されるスカート状部，
４ｂは弁作用部４の後端側に形成されて後述のコイルスプリング８の前端部分を受ける環状後端部，
をそれぞれ示している。
【００２６】
また、
５はシャットオフ部材３の後側部分であって弁作用部４と嵌合し、操作面１ａへの押下げ操作にともなう後述の薄肉ヒンジ部６ｄを中心とした回動テコ部材６ｃの図示反時計方向への回動作用により、後方へ駆動される鞘状の被駆動シャフト，
５ａは被駆動シャフト５の後端部分左右方向（図１，図３の紙面垂直方向）にそれぞれ形成された一対の被駆動片部，
５ｂは被駆動片部５ａの前側曲面部分であって後述の回動テコ部材６ｃの駆動作用面６ｅと当接する一対の被駆動曲面，
をそれぞれ示している。
【００２７】
また、
６はノズル２を嵌合配設し、シャットオフ部材３をその後端側露出の状態で収容して前後方向に案内し、後述のシリンダテーブル７により上下方向に案内され、かつ、放出対象内容物の通路として作用する内部空間域を備えたシリンダ，
６ａはシリンダ６の後端側の外天面部分に起立状態で形成されたカム作動用基部，
６ｂはカム作動用基部６ａの上端側に後延長水平態様で形成されたいわば剛性，変位なしの天井部分，
６ｃは天井部分６ｂの後端側から下方向への片持ち態様で連続形成されて、後述の傾斜カム面７ｃとの間でカム作用を呈する横長板状のカムフォロワ部としての回動テコ部材，
６ｄは天井部分６ｂと回動テコ部材６ｃとのいわばインタフェース作用部であって、前記回動テコ部材の回動中心・支点部分として作用する薄肉ヒンジ部，
６ｅは回動テコ部材６ｃの下側部分に形成され、一対の被駆動片部５ａの前端側曲面部分に当接して操作面１ａの押下げ操作にともないこの曲面部分それぞれを後方に駆動する作用点部分としての縦断面「くの字状」で折り曲げ平面状の一対の駆動作用面，
６ｆは回動テコ部材６ｃの前下端部分であって前記押下げ操作にともない後述の傾斜カム面７ｃに倣う形で図示後方側へと移動する力点部分としてのカム倣い縁部分，
６ｇは回動テコ部材６ｃの左右方向中央の下側部分に形成されて被駆動シャフト５のシャットオフ移動を可とするための切欠状部分，
６ｈはその前側内周面にノズル２の後側部分が嵌合配設された前後方向の外円筒状部，
６ｊは外円筒状部６ｈの下側部分に形成された内容物通過用の孔部，
６ｋは孔部６ｊを上内側に取り込むかたちで外円筒状部６ｈのいわば下底部分から下方に連続形成されて、後述の逆スカート状起立部７ｄとの間の被案内・シール作用を呈する上下方向の下円筒状部，
６ｍは外円筒状部６ｈと後端環状底面部分を介して連続形成され、弁作用部４のスカート状部４ａを案内するとともに、被駆動シャフト５をその被駆動片部５ａがシリンダ６の後外側に露出するかたちで収容する前後方向の内円筒状部，
６ｎは内円筒状部６ｍの後端内側環状部分に連続形成されて後述のコイルスプリング８を受け、かつそこから後方へ連続する筒状内周面により被駆動シャフト５の後側大径の非露出部分を案内する円環状段部，
をそれぞれ示している。
【００２８】
また、
７は回動テコ部材６ｃとの間のカム作用および下円筒状部６ｋに対する案内・シール作用を呈し、かつ後述のステム９を嵌合固定する平面視二重円形状のシリンダテーブル，
７ａは操作面１ａの押下げ操作初期のシャットオフ解除後に後述のシリンダ６の下円筒状部６ｋの下端部分が当接して、その後の連続押下げ操作により下方に駆動されるシリンダテーブル７の上面，
７ｂは上面７ａの後側部分に形成された一対の起立カム部，
７ｃは起立カム部７ｂの上端部分に形成された後下がりの傾斜カム面，
７ｄはシリンダテーブル７の上面中央部分に形成されて、その上端外周面部分が下円筒状部６ｋの内周面と密接する逆スカート状起立部，
７ｅはシリンダテーブル７の下面中央側部分に形成されて、後述のステム９が嵌合状態で取り付けられる円筒状垂下部，
をそれぞれ示している。
【００２９】
また、
８は弁作用部４の環状後端部４ｂとシリンダ６の円環状段部６ｎとの間の環状空間域に配設されて、シャットオフ部材３の全体を前方に付勢するコイルスプリング，
を示している。
【００３０】
また、
９はシリンダテーブル７の円筒状垂下部７ｅに嵌合して強弾性力で上方に付勢され、内容物通過用空間域を備え、かつ操作面１ａの押下げ操作時にシャットオフ部材３が後退してから下動することにより周知のポンプ機構またはバルブ機構を作動させる鞘状のステム，
を示している。
【００３１】
ここで、カバー体１，ノズル２，シャットオフ部材３（弁作用部４および被駆動シャフト５），シリンダ６，およびステム９などはポリプロピレン，ポリエチレン，ポリアセタール，ポリアミド，ポリブチレンテレフタレートなどからなるプラスチック製のものである。コイルスプリング８は金属製，プラスチック製のものである。
【００３２】
図示のシャットオフ機構の基本的特徴は、回動テコ部材６ｃとして、片持ち態様で上下方向、すなわち被駆動シャフト５がこの回動テコ部材で駆動される後方向と略直交する方向に延びる「第２種テコ」態様のテコを用いたことである。
【００３３】
また、回動テコ部材６ｃを、その支点部分から力点部分までの腕の長さと、支点部分から作用点部分までの腕の長さとが略等しい形状に設定したことである。
【００３４】
これにより、上記回動外力にともなう回動テコ部材６ｃの損傷のおそれを減少させることができる。この減少効果は、回動テコ部材６ｃの支点部分から力点部分までの腕の長さと、支点部分から作用点部分までの腕の長さとが略等しい形状の回動テコ部材において顕著である。
【００３５】
また、上記略直交状態の回動テコ部材６ｃで後方向に駆動される被駆動シャフト５とその案内部などとの摩擦力が小さくなるので、後方移動のシャットオフ部材３の作動荷重の減少化や、シャットオフ部材自体のよじれ発生の抑止化を図ることができる。
【００３６】
このように、弁作用部４および被駆動シャフト５からなるシャットオフ部材３は、軽作動荷重の下、よじれることもなくスムーズに後方に移動し、吐出口２ａの開閉動作が楽におこなえる。
【００３７】
被駆動シャフト５の作動荷重を軽くできるのは、回動テコ部材６ｃが薄肉ヒンジ部６ｄをテコ支点にして図示反時計方向に回動し、この回動にともない被駆動シャフト５の一対の被駆動片部５ａが略後方向のみへの力を受けるからである。
【００３８】
ここで、回動テコ部材６ｃは、薄肉ヒンジ部６ｄをいわば片持ち回動中心の支点とし、そこから下方に延びる部分の前下端のカム倣い縁部分６ｆが力点に対応し、またその延びる部分の後下側の駆動作用面６ｅが作用点に対応するテコ部材といえる。図示の回動テコ部材６ｃは支点と力点との間に作用点が位置する「第２種テコ」に相当する。この回動テコ部材６ｃに代えて、支点と作用点との間に力点が位置する「第３種テコ」態様の回動テコ部材を用いてもよい。
【００３９】
この「第２種テコ」，「第３種テコ」に相当する回動テコ部材はともに、それぞれの支点部分からみて力点部分および作用点部分が同じ側に形成されたテコ部材である。
【００４０】
図示のシャットオフ機構は、図１の操作面１ａの押下げ操作にともない、先ずシャットオフ部材３が後退して吐出口２ａが開き、続いてカバー体１からステム９までの全体が下動することにより周知のポンプ機構を作動させるものである。
【００４１】
その動作概要は、
(31)図１の静止モードの操作面１ａへの押下げ操作により、先ずカバー体１，ノズル２，シャットオフ部材３およびシリンダ６のいわば可動ユニットが、上方への強弾性力により初期固定位置状態のシリンダテーブル７およびステム９の一体物に対して下動し、
(32)このとき、下動状態の回動テコ部材６ｃのカム倣い縁部分６ｆと固定位置状態の傾斜カム面７ｃとのカム作用で、この回動テコ部材が、傾斜カム面７ｃに倣う形で薄肉ヒンジ部６ｄを中心にして図示反時計方向に回動し、
(33)回動テコ部材６ｃの後方（反時計方向）への回動にともない、被駆動シャフト５の被駆動片部５ａが後退し、すなわちこれと一体の弁作用部４も後退してノズル２の吐出口２ａがそれまでの閉状態から開状態へと移行し（図３参照）、
(34)吐出口２ａが開き、シリンダ６の下円筒状部６ｋがシリンダテーブル７の上面７ａに当接した後は、このシリンダテーブルおよびステム９も図３の状態で上記可動ユニットとともに上記強弾性力に抗しながら下方に移動し、
(35)ステム９の下動により周知のポンプ作用部が作動して容器本体（図示省略）の内容物が、概略「ステム９の内部空間域−逆スカート状起立部７ｄ−内円筒状部６ｍ・弁作用部４とそれぞれの外側のノズル２との環状空間域」を経て吐出口２ａから外部空間域へ放出される、
ことである。
【００４２】
図示の内容物放出機構の組立て手順は例えば、
(41)被駆動シャフト５をシリンダ６に後方から差し込む、
(42)上記(41)のシリンダ６の前方からコイルスプリング８を内円筒状部６ｍの中にセットする、
(43)上記(42)のシリンダ６をカバー体１の下方から差し込み、開口部１ｂを通す形で、弁作用部４の環状後端部４ｂを被駆動シャフト５の前端に係合し、ノズル２を外円筒状部６ｈの前端に係合する、
(44)上記(43)で組み立てたカバー体１の下方からシリンダテーブル７を差し込み、円弧凸状部１ｃに係止させる、
といった手順となる。
【００４３】
図１および図２の静止モードでは、
(51)ステム９およびこれと一体のシリンダテーブル７，起立カム部７ｂが周知のコイルスプリング(図示省略)の上方向への強弾性力で最上位置に配設され、
(52)カバー体１，ノズル２，シャットオフ部材３，シリンダ６およびコイルスプリング８などからなる可動ユニットが、このコイルスプリング８で前記ノズルを前方向に付勢して吐出口２ａを前記ノズルで閉じた状態に設定され、
(53)そして、この吐出口２ａが閉じた可動ユニットがシリンダテーブル７および起立カム部７ｂに、下円筒状部６ｋと逆スカート状起立部７ｄとの当接作用およびカム倣い縁部分６ｆと傾斜カム面７ｃとの当接作用により保持されている。
【００４４】
すなわち、カバー体１，ノズル２，シャットオフ部材３，シリンダ６およびコイルスプリング８などで構成される可動ユニットが、下動しえる状態で、シリンダテーブル７の起立カム部７ｂおよび逆スカート状起立部７ｄに搭載されている。
【００４５】
この搭載状態の可動ユニットは、図１の静止モード位置から、上方向への強弾性力により最上位置に保持されたシリンダテーブル７に対し下動しえる。
【００４６】
図３および図４は、操作面１ａの押下げ操作にともないこの可動ユニットの下円筒状部６ｋがシリンダテーブル７の上面７ａに当接した後のステム下動状態を示している。
【００４７】
すなわち、押下げ操作の初期段階（ステム９が下動しない段階）の回動テコ部材６ｃと起立カム部７ｂとのカム作用でシャットオフ部材３が後退して吐出口２ａが開状態に移行した後のカバー体１からステム９までの全体一体物の下方への移動を示している。
【００４８】
ここで、シャットオフ部材３はコイルスプリング８の弾性力に抗しながら後方向へ移動する。
【００４９】
ステム９が所定位置まで下動すると各種のポンプ機構が作動して容器本体の内容物が上記経路により吐出口２ａから外部空間域に放出される。
【００５０】
操作面１ａの押下げ操作を解除すると、ステム９は強い前記弾性力により図１の静止モード位置までいわば瞬時に上動し、また、シャットオフ部材３はコイルスプリング８の弾性力により前方向に移動して吐出口２ａを静止モードの閉状態に設定する。
【００５１】
本発明が以上の実施形態に限定されないことは勿論であり、例えば次のようにしてもよい。
(61)カム倣い縁部分６ｆと傾斜カム面７ｃとを上下反転させた状態に設定する。すなわちカム倣い縁部分６ｆを起立カム部７ｂの側に設けて、傾斜カム面７ｃを回動テコ部材６ｃの側に設ける。
(62)回動テコ部材６ｃとしていわゆる「第３種テコ」形状の回動テコ部材を用いる。すなわち支点の薄肉ヒンジ部６ｄと、作用点の駆動作用面６ｅ（の被駆動曲面５ｂとの当接部分）との間に、力点のカム倣い縁部分６ｆが配設される形に回動テコ部材を用いる。
【００５２】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５３】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５５】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５６】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５７】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５８】
高分子化合物としては、メチルセルロース，ゼラチン，デンプン，カゼイン，ヒドロキシエチルセルロース，キサンタンガム，カルボキシビニルポリマーなどを用いる。
【００５９】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６０】
さらに、上記内容物以外の、懸濁剤，紫外線吸収剤，乳化剤，保湿剤，酸化防止剤、金属イオン封鎖剤なども用いることができる。
【００６１】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６２】
１：カバー体
１ａ：操作面
１ｂ：開口部
１ｃ：円弧凸状部
２：ノズル
２ａ：吐出口
３：シャットオフ部材
４：弁作用部
４ａ：スカート状部
４ｂ：環状後端部
５：被駆動シャフト
５ａ：被駆動片部
５ｂ：被駆動曲面
【００６３】
６：シリンダ
６ａ：カム作動用基部
６ｂ：天井部分
６ｃ：回動テコ部材（カムフォロワ部）
６ｄ：薄肉ヒンジ部
６ｅ：駆動作用面
６ｆ：カム倣い縁部分
６ｇ：切欠状部分
６ｈ：外円筒状部
６ｊ：孔部
６ｋ：下円筒状部
６ｍ：内円筒状部
６ｎ：円環状段部
【００６４】
７：シリンダテーブル
７ａ：上面
７ｂ：起立カム部
７ｃ：傾斜カム面
７ｄ：逆スカート状起立部
７ｅ：円筒状垂下部
８：コイルスプリング
９：ステム
【図１】
0006795905.tif 000002
【図２】
0006795905.tif 000003
【図３】
0006795905.tif 000004
【図４】
0006795905.tif 000005